(57)【要約】      （修正有）【課題】自由な位置から配線を引き出すことができる鋼製のベース上に木製の化粧版を取り付けた二重床を提供。【解決手段】鋼製の板体よりなり、その表面に木製の化粧板を取り付けたベースユニットと、コーナープレートと、チャンネルプレートより構成する。コーナープレートには、ベースユニットと接する面には、鋼板の一部を延長して化粧板の外部まで突出した爪を形成する。爪に接する位置の化粧板には２本の切り取り線を切り込んで形成する。必要に応じて鋼板の爪と、化粧版の切り取り線の間を除去できるように構成する。【選択図】図１
2007303132.tif 000002
【特許請求の範囲】
【請求項１】
鋼製の板体よりなり、その表面に木製の化粧板を取り付けたベースユニットと、コーナープレートと、チャンネルプレートより構成し、
ベースユニットは正方形の隅部を切り落とした八角形の鋼製の天板と、その周囲に設けた脚板で構成し、
鋼製の天板の周囲は、その上の化粧板よりも多少の寸法だけ突出した受台を形成し、
ベースユニットを一定の間隔を介して床に敷設することで、その間隔を配線間隔として構成し、
コーナープレートは、間隔を介して敷設した４箇所のベースユニットの隅部によって形成された八角形の空間を覆う蓋であり、
鋼板の周囲には、その上の化粧板を多少の寸法だけ突出させて係合縁として形成し、
チャンネルプレートは、間隔を介して敷設した２箇所のベースユニットによって形成された溝を覆う長方形の蓋であり、
コーナープレートには、ベースユニットと接する面には、鋼板の一部を延長して化粧板の外部まで突出した爪を形成し、
爪に接する位置の化粧板には２本の切り取り線を切り込んで形成し、
必要に応じて鋼板の爪と、化粧版の切り取り線の間を除去できるように構成した、
化粧板付き二重床。
【請求項２】
ベースユニットにおいてはコーナープレート側の辺の化粧板の下側を窪み状に削り取って庇（ひさし）部を形成し、
この庇部の下の鋼板を半円状に切り込んで引き出し穴を形成し、
引き出し穴の一部には係合爪を突設し、
このベースユニット側の係合爪が、コーナープレートの爪と係合して、
コーナープレートとベースユニットを係合することができるように構成した、
請求項１記載の、化粧板付き二重床。
【発明の詳細な説明】
【技術分野】
【０００１】
本発明は、化粧板付き二重床に関するものである。
【背景技術】
【０００２】
ここで二重床とは、コンピュータ類の配線を床下に配置するために、床を二重にしてその下に配線を収納するための構造を意味する。
二重床には多くの種類の構造が開発されており、さらに二重床の表面に木製の化粧板を取り付けて室内に落ち着いた雰囲気を作り出すような二重床も開発されている。
【特許文献１】特開２００３−３６５４号公報。
【発明の開示】
【発明が解決しようとする課題】
【０００３】
前記したような、木製の化粧板を取り付けた化粧板付き二重床にあっては、次のような問題点がある。
＜１＞  床下に配置した配線は、事務机や機器の配置に応じて、できるだけ自由な位置から床上に引き出したい。
＜２＞  その場合に、鋼製の二重床であれば配線の引き出し用の小さな開口部を自由な位置に設置することが比較的容易である。
＜３＞  しかし鋼製のベースの上に木製の化粧板が貼り付けてあると、木製の化粧板と鋼板とを同時に切り欠くことが難しく、鋼製の二重床のような配線の引き出しの自由度が失われる。
＜４＞  このように、鋼製のベースの上に木製の化粧板を取り付けた二重床は、見た目に落ち着きがあり、上品な雰囲気を呈するが、自由な位置から配線を引き出すことが難しいという問題があった。
【課題を解決するための手段】
【０００４】
上記のような課題を解決するために、本発明の化粧板付き二重床は、鋼製の板体よりなり、その表面に木製の化粧板を取り付けたベースユニットと、コーナープレートと、チャンネルプレートより構成し、ベースユニットは正方形の隅部を切り落とした八角形の鋼製の天板と、その周囲に設けた脚板で構成し、鋼製の天板の周囲は、その上の化粧板よりも多少の寸法だけ突出した受台を形成し、ベースユニットを一定の間隔を介して床に敷設することで、その間隔を配線間隔として構成し、コーナープレートは、間隔を介して敷設した４箇所のベースユニットの隅部によって形成された八角形の空間を覆う蓋であり、鋼板の周囲には、その上の化粧板を多少の寸法だけ突出させて係合縁として形成し、チャンネルプレートは、間隔を介して敷設した２箇所のベースユニットによって形成された溝を覆う長方形の蓋であり、コーナープレートには、ベースユニットと接する面には、鋼板の一部を延長して化粧板の外部まで突出した爪を形成し、爪に接する位置の化粧板には２本の切り取り線を切り込んで形成し、必要に応じて鋼板の爪と、化粧版の切り取り線の間を除去できるように構成した化粧板付き二重床を特徴としたものである。
【発明の効果】
【０００５】
本発明の化粧板付き二重床は以上説明したようになるから次のような効果を得ることができる。
＜１＞  鋼製のベースの上に木製の化粧板を取り付けた二重床は、見た目に落ち着きがあり、上品な雰囲気を呈するので、特に応接室や重役室などに敷設するには最適である。
＜２＞  一方、鋼製のベースの一部と、それに対応する木製の化粧板の位置に目立たない程度の細い切り欠き線を設けてあるので、必要な位置において鋼製のベースは折り曲げ、木製の化粧板は切り欠き線に囲まれた範囲をノミで除去することによって小さな開口部を開設することができる。
＜３＞  したがって、高級な雰囲気を維持し、かつ比較的自由な位置から配線を引き出すことができるという、従来の化粧板付きの二重床では困難であった目的を達成することができる。
【発明を実施するための最良の形態】
【０００６】
以下図面を参照にしながら本発明の好適な実施の形態を詳細に説明する。
【実施例】
【０００７】
＜１＞  全体の構成。（図１）
本発明の二重床は、ベースユニット１と、コーナープレート２と、チャンネルプレート３より構成する。
これらの部材を組み合わせて床上に敷設することによって一定の間隔を開けた二重床を構成することができる。
【０００８】
＜２＞  ベースユニット１。（図２）
ベースユニット１は、鋼製のベースよりなり、その表面に木製の化粧板１１を取り付けたものである。
鋼製のベースは、正方形の隅部を切り落とした八角形の鋼製の天板１２と、その周囲に設けた脚板１３で構成する。
脚板１３は、天板１２の脚となる板である。
この脚板１３の高さだけ、二重床の表面は本来の床面から高い位置に設置されることになる。
鋼製の天板１２の形状と、木製の化粧板１１の形状は同一ではなく、化粧板１１の方が多少小さい、相似形である。
その結果、鋼製の天板１２の周囲は、その上の化粧板よりも多少の寸法だけ突出した受台１４が形成される。
この受台１４の上に、後述するコーナープレート２やチャンネルプレート３を搭載する。
【０００９】
＜３＞配線の間隔。
上記のベースユニット１を相互に接触させず、前後左右に一定の間隔を介して床に敷設する。
そこで形成したベースユニット１間の間隔を、配線を行う空間として利用するものである。
【００１０】
＜４＞コーナープレート。（図３）
このコーナープレート２は、間隔を介して敷設した４箇所のベースユニット１の隅部によって形成された八角形の空間を覆う蓋である。
コーナープレート２は鋼製の平板、すなわち鋼板２１の表面に木製の化粧板２２を取り付けたものである。
鋼板２１は、正方形の隅部を切り落とした八角形の板材であり、脚板は存在しない。
そして、鋼板２１の形状と、木製の化粧板２２の形状は同一ではなく、化粧板２２の方が多少大きい相似形である。
その結果、鋼板２１の周囲には、その上の化粧板２２が多少の寸法だけ突出した係合縁２３が形成される。
【００１１】
＜５＞コーナープレート２とベースユニット１の結合。（図５）
コーナープレート２とベースユニット１を結合するためにコーナープレート２側には爪２４２４を設け、ベースユニット１側には係合溝を設ける。
すなわちコーナープレート２において、ベースユニット１と接する面には、鋼板の一部を延長して化粧板の外部まで突出した爪２４を形成する。
爪２４の付け根に当たる部分は、細い首部２５として形成し、爪２４をペンチなどで引き起こすと、この首部２５において容易に切断できるように構成する。
首部２５において切断することによって、爪２４を鋼板２１から除去することができる。
一方、ベースユニット１においてはコーナープレート２側の辺の化粧板１１の下側を窪み状に削り取って庇（ひさし）部１５を形成する。
この庇部１５の下の鋼板を半円状に切り込んで引き出し穴１６を形成する。
引き出し穴１６の一部には係合爪１７を突設する。
このベースユニット１側の係合爪１７が、コーナープレート２の爪２４と係合し、その結果、コーナープレート２とベースユニット１を係合することができる。
【００１２】
＜６＞化粧板の切り取り線。
コーナープレート２において、首部２５で切断して爪２４を除去しても、その上には化粧板２２が存在している。
そこで、爪２４の上部の化粧板２２には、爪２４の位置に対応して２本の切り取り線２６を切り込んで形成しておく。
すると、二本の切り取り線２６の付け根の位置にノミを当てて打ち込めば、化粧板２２の切り取り線２６の間を簡単に除去することができる。
【００１３】
＜７＞チャンネルプレート３。
チャンネルプレート３は、間隔を介して敷設した２箇所のベースユニット１によって形成された溝を覆う長方形の蓋である。
そのためにこのチャンネルプレート３は鋼板３１の上に木製の化粧板３２を取り付けて構成する。
チャンネルプレート３をベースユニット１間に設置するには、チャンネルプレート３をベースユニット１の周囲に突出させて形成した受台１４の上に載せればよい。
【００１４】
＜８＞各ユニットの配置。
次に二重床の設置方法について説明する。
前記したようにまず、ベースユニット１をその前後左右の周囲に間隔を介在させて床の上に配置してゆく。
その場合の間隔が、チャンネルプレート３の幅に相当し、かつ配線の通路を構成する。
この通路に相当する２枚のベースユニット１間に１枚のチャンネルプレート３をはめ込んでゆく。
このチャンネルプレート３が配線通路の蓋板となる。
さらに４枚のベースユニット１の隅部の集まったコーナーにはコーナープレート２をはめ込んでゆく。
その際には、コーナープレート２の隅部の爪２４が、ベースユニット１の隅部の係合爪１７に係合するように挿入する。
この４枚のベースユニット１の隅部が集まった部分では、通路内の配線を直角にまげて配置することができる。
【００１５】
＜９＞コーナーからの配線の引き出し。（図６）
チャンネルプレート３で蓋をした配線通路内の配線を床上に引き出したい場合にはコーナープレート２の位置から引き出すことになる。
その場合に前記したように、コーナープレート２において、ベースユニット１と接する面には、鋼板２１の一部を延長して化粧板２２の外部まで突出した爪２４が形成してある。
この爪２４の付け根に当たる部分は、細い首部２５として形成してあり、爪２４をペンチなどで引き起こすと、この首部２５において容易に切断できるように構成してある。
そこで配線を引き出す予定のコーナープレート２において、首部２５を切断して爪２４を除去する。
一方、前記したように爪２４の上部の化粧板２２には、爪２４の位置に対応して２本の切り取り線２６を切り込んで形成してある。
そこで、二本の切り取り線２６で囲まれた部分にノミを当てて打ち込んで化粧板２２を切り取り線２６の間を除去する。
鋼板の爪２４と、その上の化粧板２２の一部を除去することによって、ベースユニット１の庇部１５の下の引き出し穴１６と、コーナープレート２の化粧板２２の除去部分とが連通する。
そこでこの連通部を通して溝内の配線を床上に取り出す。
このように、化粧板を取り付けた二重床において、必要とする位置のコーナープレート２から簡単に配線を引き出すことができる。
【図面の簡単な説明】
【００１６】
【図１】本発明の化粧板付き二重床を敷設した状態の説明図。
【図２】各部材の実施例の説明図。
【図３】コーナープレートの要部を下から見た状態の説明図。
【図４】コーナープレートの隅部を上から見た状態の説明図。
【図５】ベースユニットの隅部の詳細の説明図。
【図６】コーナープレートから配線を引き出した状態の説明図。
【符号の説明】
【００１７】
１：ベースユニット
１１：化粧板
１２：天板
１３：脚板
１４：受台
２：コーナープレート
２４：爪
２５：首部
２６：切り取り線
３：チャンネルプレート
【図１】
2007303132.tif 000003
【図２】
2007303132.tif 000004
【図３】
2007303132.tif 000005
【図４】
2007303132.tif 000006
【図５】
2007303132.tif 000007
【図６】
2007303132.tif 000008